(57)【要約】【課題】機能部が設置されるカバー内の設計の自由度を向上させることができる便座装置及び便器装置を提供する。【解決手段】便器の上に設置される機能部４と、機能部４を覆うカバー部６と、便器の上に設置されるとともに、便器に対して開閉可能に設けられた便蓋３と、便蓋３を開閉可能に支持、または便蓋３の閉塞時に抵抗を付与する開閉機構１１，２１と、を備え、開閉機構１１，２１は、カバー部６の外方に配置されていることを特徴とする。【選択図】図２
2019181062.tif 000002
【特許請求の範囲】
【請求項１】
便器の上に設置される機能部と、
該機能部を覆うカバー部と、
前記便器の上に設置されるとともに、前記便器に対して開閉可能に設けられた便蓋と、
該便蓋を開閉可能に支持、または前記便蓋の閉塞時に抵抗を付与する開閉機構と、を備え、
該開閉機構は、前記カバー部の外方に配置されていることを特徴とする便座装置。
【請求項２】
前記開閉機構は、前記便蓋の閉塞時に抵抗を付与するアシスト機構であり、
該アシスト機構は、前記便蓋に固定された固定部材に固定されている請求項１に記載の便座装置。
【請求項３】
便器と、
該便器の上に設置される請求項１または２に記載の便座装置と、を備えることを特徴とする便器装置。
【発明の詳細な説明】
【技術分野】
【０００１】
本発明は、便座装置及び便器装置に関するものである。
【背景技術】
【０００２】
従来から、便器に対して便座及び便蓋を閉じるときにヒンジ機構の回転に抵抗を付加し、緩やかに動作させる閉止ユニットが設けられた装置が知られている（下記の特許文献１参照）。このように閉止ユニットは機能部を収納するカバーに支持されていたり、便座及び便蓋を電動で開閉する電動モータはカバー内に設置されていたりしている。
【先行技術文献】
【特許文献】
【０００３】
【特許文献１】特開２００２−１４３０３７号公報
【発明の概要】
【発明が解決しようとする課題】
【０００４】
しかしながら、上記の特許文献１に記載された装置のように、閉止ユニットや電動モータ等の開閉機構をカバー等の本体側に支持させる場合には、電動モータは重さがあるため、カバーにリブ等の補強を設ける必要があった。
【０００５】
そこで、本発明は、上記事情に鑑みてなされたものであり、機能部が設置されるカバー内の設計の自由度を向上させることができる便座装置及び便器装置を提供する。
【課題を解決するための手段】
【０００６】
上記目的を達成するために、本発明は以下の手段を採用している。
すなわち、本発明に係る便座装置は、便器と、該便器の上に設置される機能部と、該機能部を覆うカバー部と、前記便器の上に設置されるとともに、前記便器に対して開閉可能に設けられた便蓋と、該便蓋を開閉可能に支持、または前記便蓋の閉塞時に抵抗を付与する開閉機構と、を備え、該開閉機構は、前記カバー部の外方に配置されていることを特徴とする。
【０００７】
このように構成された便座装置では、便蓋を開閉させたり、または便蓋の閉塞時に抵抗を付与したりする開閉機構は、カバー部の外方に配置されている。よって、カバー部内に配置される機能部のレイアウトの自由度を向上させることができる。
【０００８】
また、本発明に係る便座装置は、前記開閉機構は、前記便蓋の閉塞時に抵抗を付与するアシスト機構であり、該アシスト機構は、前記便蓋に固定された固定部材に固定されていることが好ましい。
【０００９】
このように構成された便座装置では、開閉機構は固定部材を介して便蓋に固定されているため、開閉機構を便蓋側に設けることができる。
【００１０】
また、本発明に係る便器装置は、便器と、該便器の上に設置される上記のいずれかに記載の便座装置と、を備えることを特徴とする。
【００１１】
このように構成された便器装置では、便蓋を開閉させたり、または便蓋の閉塞時に抵抗を付与したりする開閉機構は、カバー部の外方に配置されている。よって、カバー部内に配置される機能部のレイアウトの自由度を向上させることができる。
【発明の効果】
【００１２】
本発明に係る便座装置及び便器装置によれば、機能部が設置されるカバー内の設計の自由度を向上させることができる。
【図面の簡単な説明】
【００１３】
【図１】本発明の一実施形態に係る便器装置の斜視図である。
【図２】図１のＡ部の拡大図である。
【図３】本発明の一実施形態に係る便器装置の後部を上方から見た図である。
【図４】図３のＢ−Ｂ線断面図である。
【図５】本発明の一実施形態に係る便器装置の開閉機構の一部の固定部分を示す図である。
【発明を実施するための形態】
【００１４】
本発明の第一実施形態に係る便器装置について、図面を用いて説明する。
図１は、本発明の一実施形態に係る便器装置の斜視図である。
図１に示すように、便器装置１００は、下方に凹む開口部１ａが設けられた便器１と、便器１に設置された便座装置１０と、を備えている。
なお、下記の説明において、利用者が便座２に着座した状態で前方を向く方向を「前方」とし、反対側を「後方」とし、これらを結ぶ方向を前後方向とする。また、便座２に着座した利用者から見て左側を「左側」とし、右側を「右側」とし、これらを結ぶ方向を左右方向とする。
【００１５】
便座装置１０は、回動可能に設けられた便座２及び便蓋３と、便器１の上部に設けられた本体部（機能部）４と、本体部４を収容する本体カバー（カバー部）６と、電動開閉機構（開閉機構）７と、を備えている。
【００１６】
便座２は、便器１の上部に設置されている。便蓋３は、閉塞された状態で、便器１の開口部１ａの上方及び便座２を覆うように設置されている。
【００１７】
本体部４は、便器１の後部において、便器１の上部に設けられたベース部（不図示）上等に配置されている。本体部４は、局部洗浄装置（不図示。以下同じ。）等の装置を有している。
【００１８】
本体カバー６は、本体部４を覆うように設けられている。本体カバー６は、本体部４の上方に配置された上面部６１と、上面部６１の左右両端部及び後端部から下方に延びる周面部６２と、を有している。
【００１９】
上面部６１は、後方に向かうにしたがって次第に上方に傾斜するように形成されている。上面部６１には、上方に突出し下向きに開口する膨出部６３が設けられている。
【００２０】
上面部６１及び膨出部６３は、本体部４の上方を覆っている。周面部６２は、本体部４の左右両側方及び後方を覆っている。膨出部６３の上方、左右両側方及び後方を覆うようにトップカバー（不図示）が設けられていてもよい。
【００２１】
膨出部６３は、平面視では、略矩形状に形成されるとともに、後述するモータ１１とアシスト装置２１との間で後方に突出して形状をなしている。
【００２２】
電動開閉機構７は、モータ１１と、アシスト装置（アシスト機構）２１と、を有している。モータ１１及びアシスト装置２１は、左右方向に配置されている。本実施形態では、モータ１１は、アシスト装置２１よりも左側に配置されている。
【００２３】
モータ１１は、アシスト装置２１の駆動源・動力源として機能する。モータ１１には、図示しないリード線を介して駆動信号が供給される。モータ１１は、ＤＣモータ、ＤＣブラシレスモータ、ステッピングモータ等、特に制限されない。
【００２４】
図２は、図１のＡ部の拡大図である。なお、図２において、便器１の図示を省略している。
モータ１１は、螺子等（不図示）により便蓋３に固定されている。モータ１１の軸部１１ａは、本体部４側（本実施形態では右側）に延びている。軸部１１ａは、本体部４に設けられた軸受け部４ａに回動可能に支持されている。
【００２５】
図３は、便器装置１００の後部を上方から見た図である。図４は、図３のＢ−Ｂ線断面図である。なお、図３及び図４において、便器１及び便座２の図示を省略している。
図２及び図４に示すように、アシスト装置２１は、モータ１１（図１参照。以下同じ。）の駆動により、便蓋３を自動で開閉させるものであり、周知の構成である。アシスト装置２１の軸部２１ａは、本体部４側（本実施形態では左側）に延びている。軸部２１ａは、本体部４に回動可能に支持されている。
【００２６】
図２に示すように、アシスト装置２１は、ヒンジ固定部材（固定部材）２２内に収容されている。アシスト装置２１は、ヒンジ固定部材２２に螺子等（不図示）で固定されている。
【００２７】
図５は、アシスト装置２１の固定部分を示す図である。
図５に示すように、ヒンジ固定部材２２は、アシスト装置２１を覆うアシストカバー部２２ａと、アシストカバー部２２ａに連続して設けられ便蓋３の前面３ｆに沿って配置される固定部２２ｂと、を有している。固定部２２ｂには前後方向に貫通する取付孔２２ｃが形成されている。取付孔２２ｃの前方から挿通された螺子２３が、便蓋３に螺合されている。
【００２８】
図２に示すように、モータ１１及びアシスト装置２１は、本体カバー６の後方、つまり外方に配置されている。
【００２９】
このように構成された便器装置１００では、便蓋３を開閉可能に支持するモータ１１及びアシスト装置２１は、本体カバー６の外方に配置されている。よって、本体カバー６内に配置される本体部４のレイアウトの自由度を向上させることができる。
【００３０】
また、アシスト装置２１はヒンジ固定部材２２を介して便蓋３に固定されているため、アシスト装置２１を便蓋３側に設けることができる。
【００３１】
一般的に、電動開閉機構７等の開閉機構を本体部４に設置する際には、開閉機構を支持する支持板（不図示）等にリブを設ける等して強度を確保する必要がある。本実施形態のように、開閉機構を本体部４の外方に設けて便蓋３に固定する際には、便蓋３がユリア樹脂（尿素樹脂）等のような硬い樹脂で形成されている場合には、便蓋３にリブ等の補強を設ける必要がない。
【００３２】
なお、本発明に係る便器装置１００は、上述した実施形態に限定されるものではなく、本発明の要旨を逸脱しない範囲で適宜の変更や置換等が可能である。
【００３３】
例えば、開閉機構として、ダンパー装置を採用することもできる。ダンパー装置は、手動により開閉する便蓋３の回動に抵抗を付与するものであり、周知の構成である。ダンパー装置により、開位置から閉位置に便蓋３をゆっくりと降ろせ、閉位置に止まるときの衝撃や音を小さくすることできる。ダンパー装置も、電動開閉機構７と同様に、本体カバー６の外方に配置されている。
【００３４】
また、上記に示す実施形態では、モータ１１は本体カバー６の上に露出しているが、左右両側方及び上方等を覆うようにカバーが設けられていてもよい。
【００３５】
また、上記に示す実施形態では、モータ１１及びアシスト装置２１は便蓋３に固定されているが、本発明はこれに限られない。開閉機構がカバー部の外方に配置されていればよく、例えば便器１の後部等に取り付けられていてもよい。
【００３６】
また、上記に示す実施形態では、便器１と、便座装置１０とを備えた便器装置１００について説明したが、本発明はこれに限られず、機能部と、カバー部と、便蓋と、開閉機構とを備え、便器１を備えない便座装置であってもよい。
【符号の説明】
【００３７】
１…便器
２…便座
３…便蓋
４…本体部（機能部）
６…本体カバー（カバー部）
７…電動開閉機構（開閉機構）
１０…便座装置
１１…モータ
２１…アシスト装置（アシスト機構）
２２…ヒンジ固定部材（固定部材）
１００…便器装置
【図１】
2019181062.tif 000003
【図２】
2019181062.tif 000004
【図３】
2019181062.tif 000005
【図４】
2019181062.tif 000006
【図５】
2019181062.tif 000007